(57)【特許請求の範囲】
【請求項１】
電気機器のケースに設けられたボタン形電池挿入用の電池挿入口から、ケース内部に設けられた電池収納部にボタン形電池を挿入し、前記電池挿入口を蓋体によって閉塞することによりボタン形電池を保持するボタン形電池の保持装置において、弾性を有する導電材料からそれぞれ形成され、電池収納部に挿入されるボタン形電池の正極及び負極とそれぞれ弾接する第１及び第２の接点ばねを電池収納部に設け、第１又は第２の接点ばねの内、何れか一方の接点ばねを、接点ばねの弾性力による付勢方向とボタン形電池の取り出し方向とが同じ方向になるように電池収納部に配設し、ボタン形電池を電池挿入口から電池収納部内に挿入して、蓋体で電池挿入口を閉塞し、何れか一方の接点ばねによって電池挿入口側にばね付勢された状態でボタン形電池を保持するとともに、前記蓋体は、ボタン形電池の挿入方向と略直交する方向においてスライド自在にケースに取り付けられており、蓋体における電池収納部側の面に、電池挿入口を閉塞する方向に行くにしたがって、電池収納部から遠ざかる向きに傾斜する傾斜面を設けたことを特徴とするボタン形電池の保持装置。
【請求項２】
前記ボタン形電池は厚み方向が挿入方向と略直交するようにして電池挿入口から電池収納部内に挿入され、電池収納口と対向する電池収納部の底部に前記第１の接点ばねを配設すると共に、ボタン形電池の負極と対向する電池収納部の部位に前記第２の接点ばねを配設し、ボタン形電池における負極の反対側の面と係止する係止片を電池収納部に設けたことを特徴とする請求項１記載のボタン形電池の保持装置。
【請求項３】
前記ボタン形電池は厚み方向が挿入方向と略平行になるようにして電池挿入口から電池収納部内に挿入され、ボタン形電池の周面と対向する電池収納部の部位に前記第１の接点ばねを配設すると共に、電池収納口と対向する電池収納部の底部に前記第２の接点ばねを配設したことを特徴とする請求項１記載のボタン形電池の保持装置。
【発明の詳細な説明】
【０００１】
【発明の属する技術分野】
本発明は、電気機器等に組み込まれるボタン形電池の保持装置に関するものである。
【０００２】
【従来の技術】
従来より、電源としてボタン形電池を用い、ケースの内部にボタン形電池を収納した電気機器が提供されていた。
【０００３】
【発明が解決しようとする課題】
従来の電気機器では、一般的にボタン形電池の装着時は比較的装着しやすいものの、取り外し時の作業性が悪く、別途の道具を使用しなければ取り外し作業を行うことができず、電池交換の作業性が悪かった。また、ボタン形電池を取り外す際に、ボタン形電池の表面に傷が付いたり、ボタン形電池を保持するソケットが破損する虞があった。
【０００４】
本発明は上記問題点に鑑みて為されたものであり、その目的とするところは、ボタン形電池の取り付け、取り外しを容易に行えるボタン形電池の保持装置を提供することにある。
【０００５】
【課題を解決するための手段】
上記目的を達成するために、請求項１の発明では、電気機器のケースに設けられたボタン形電池挿入用の電池挿入口から、ケース内部に設けられた電池収納部にボタン形電池を挿入し、電池挿入口を蓋体によって閉塞することによりボタン形電池を保持するボタン形電池の保持装置において、弾性を有する導電材料からそれぞれ形成され、電池収納部に挿入されるボタン形電池の正極及び負極とそれぞれ弾接する第１及び第２の接点ばねを電池収納部に設け、第１又は第２の接点ばねの内、何れか一方の接点ばねを、接点ばねの弾性力による付勢方向とボタン形電池の取り出し方向とが同じ方向になるように電池収納部に配設し、ボタン形電池を電池挿入口から電池収納部内に挿入して、蓋体で電池挿入口を閉塞し、何れか一方の接点ばねによって電池挿入口側にばね付勢された状態でボタン形電池を保持するとともに、前記蓋体は、ボタン形電池の挿入方向と略直交する方向においてスライド自在にケースに取り付けられており、蓋体における電池収納部側の面に、電池挿入口を閉塞する方向に行くにしたがって、電池収納部から遠ざかる向きに傾斜する傾斜面を設けたことを特徴とし、第１又は第２の接点ばねの弾性力による付勢方向とボタン形電池の取り出し方向とが同じ方向になっており、ボタン形電池は何れかの接点ばねによって電池挿入口側にばね付勢された状態で電池収納部内に保持されているので、蓋体を電池挿入口から取り外すと、ボタン形電池が接点ばねのばね付勢力によって電池挿入口側に押し出されるから、ボタン形電池を容易に取り外すことができ、ボタン形電池の交換作業を容易にしたボタン形電池の保持装置を実現できる。しかも、電池挿入口を閉塞する方向に蓋体をスライドさせると、蓋体に設けた傾斜面とボタン形電池とが当接し、蓋体がスライドするにしたがってボタン形電池が傾斜面に沿って移動し、電池収納部内に押し込まれるから、ボタン形電池の取り付け作業をスムーズに行うことができる。
【０００６】
請求項２の発明では、請求項１の発明において、ボタン形電池は厚み方向が挿入方向と略直交するようにして電池挿入口から電池収納部内に挿入され、電池収納口と対向する電池収納部の底部に第１の接点ばねを配設すると共に、ボタン形電池の負極と対向する電池収納部の部位に第２の接点ばねを配設し、ボタン形電池における負極の反対側の面と係止する係止片を電池収納部に設けたことを特徴とし、請求項１の発明と同様の作用を奏する。
【０００７】
請求項３の発明では、請求項１の発明において、ボタン形電池は厚み方向が挿入方向と略平行になるようにして電池挿入口から電池収納部内に挿入され、ボタン形電池の周面と対向する電池収納部の部位に第１の接点ばねを配設すると共に、電池収納口と対向する電池収納部の底部に第２の接点ばねを配設したことを特徴とし、請求項１の発明と同様の作用を奏する。
【００１１】
【発明の実施の形態】
本実施形態は、本発明に係るボタン形電池の保持装置を電気機器であるカウンタに適用した１実施形態であり、図１乃至図５を参照して本実施形態を説明する。
【００１２】
カウンタは、背面が開口した略箱状であって前面に表示パネル２が設けられたケース１と、ケース１の背面を構成する端子台４を有しケース１の開口からケース１の内部に収納される内蔵ブロック３とで構成され、内蔵ブロック３に設けた係止突起５ａ，５ｂをケース１の開口縁に設けた孔６ａ，６ｂとそれぞれ係止させることによって、ケース１と内蔵ブロック３とが結合される。
【００１３】
内蔵ブロック３は、パルス信号などの計数入力を計数するカウンタ回路や、表示パネル２の表示を制御する表示回路や、ボタン形電池５０から電源供給されて各部の動作電源を生成する電源回路などの回路が形成された回路基板７を備えている。
【００１４】
ケース１の側面にはケース１を貫通する角孔状の電池挿入口８が設けられており、電池挿入口８に臨む内蔵ブロック３の部位にはボタン形電池５０を収納する電池収納部９が設けられている。ケース１には電池挿入口８を開閉自在に覆う蓋体１０が取り付けられており、蓋体１０はボタン形電池５０の挿入方向と略直交する方向においてスライド自在になっている。蓋体１０は弾性を有する合成樹脂により形成され、図２に示すように、電池挿入口８と略同じ形状に形成された主部１０ａと、主部１０ａの左右両側縁の背面側から側方に向かってそれぞれ突出する鍔部１０ｂ，１０ｂと、主部１０ａの下側縁の背面側から下方に向かって突出する一対の弾性係止片１０ｃと、各弾性係止片１０ｃの先端部に形成された係止爪１０ｄとで構成される。また、蓋体１０の主部１０ａにおける電池収納部９側の面には、電池挿入口８を閉塞する方向に行くにしたがって、電池収納部９から遠ざかる向きに傾斜する傾斜面１０ｇが設けられている。尚、図２中の１０ｅは滑り止めのために主部１０ａの表面に設けた溝である。
【００１５】
一方、ケース１の側面における蓋体１０の係止爪１０ｄ，１０ｄに対応する部位には、係止爪１０ｄ，１０ｄとそれぞれ係止する係止孔１１，１１がケース１を貫通して設けられている。また、電池挿入口８はケース１の上面まで連続して形成されており、ケース１の上面に延設された電池挿入口８の左右両側縁には、それぞれ、側方に入り込む凹所２０，２０が形成されている。
【００１６】
而して、蓋体１０をケース１に取り付ける際は、蓋体１０の鍔部１０ｂをケース１の上面側から凹所２０内に挿入し、凹所２０に沿って蓋体１０を下方へスライドさせて、弾性係止片１０ｃの先端に設けた係止爪１０ｄと係止孔１１とを係止させることによって、蓋体１０がケース１に固定される。一方、蓋体１０をケース１から取り外す際は、係止孔１１内にマイナスドライバーなどの工具の先端を挿入して、係止爪１０ｄを背面側に押圧し、係止爪１０ｄと係止孔１１との係止状態を解除させることによって、蓋体１０をケース１から容易に取り外すことができる。尚、係止爪１０ｄの前面には、先端側から基部側へ行くほど前方への突出量が大きくなるように傾斜する傾斜面１０ｆが形成されているので、弾性係止片１０ｃと係止爪１０ｄとを係止させる際には、弾性係止片１０ｃの弾性と係止爪１０ｄの前面に設けた傾斜面１０ｆとを利用して簡単に係止できるようになっている。
【００１７】
ところで、内蔵ブロック３の電池収納部９は、ボタン形電池５０の挿入方向と略直交する方向において対向する側壁１２ａ，１２ｂと、電池挿入口８と対向する部位に設けられた円弧壁１３と、ボタン形電池５０の負極と対向する底壁１４とで囲まれた収納凹所１５を有しており、収納凹所１５の上面及び電池挿入口８側の面は開放されている。ここで、側壁１２ａ，１２ｂと円弧壁１３と底壁１４とはそれぞれ絶縁性を有する合成樹脂により形成されている。電池挿入口８に臨む円弧壁１３の面は、略円弧状に凹んだ曲面形状に形成されており、円弧壁１３は収納凹所１５内に挿入されたボタン形電池５０の周面と当接するようになっている。また、側壁１２ａ，１２ｂ及び円弧壁１３の底壁１４からの高さ寸法は略同じ寸法に形成されており、側壁１２ａ，１２ｂ及び円弧壁１３の上端部からは、収納凹所１５側に突出する係止片１６ａ，１６ｂ，１６ｃがそれぞれ突設されている。
【００１８】
ここで、対向する側壁１２ａ，１２ｂの間の距離や電池挿入口８から円弧壁１３までの距離は、収納凹所１５内に収納されるボタン形電池５０の直径よりも若干大きい寸法に形成され、底壁１４から係止片１６ａ〜１６ｃまでの寸法はボタン形電池５０の厚み寸法よりも若干大きい寸法に形成されている。
【００１９】
そして、収納凹所１５の底壁１４にはボタン形電池５０の負極と弾接する第２の接点ばね（以下、接点ばねと略す）１７が配置されている。接点ばね１７は弾性を有する導電板から形成され、底壁１４に固定される固定片１７ａと、固定片１７ａにおける収納凹所１５側の端縁から連続一体に形成され、電池挿入口８と反対側に突出する当接片１７ｂとで構成される。固定片１７ａは底壁１４に設けた孔１８内に収納凹所１５側から挿入され、固定片１７ａの一部を切り起こして形成された切り起こし片１７ｃと孔１８の端縁とを係止させることによって底壁１４に固定される。また、当接片１７ｂは固定片１７ａとの連結部位から先端に行くほど底壁１４から遠ざかるように傾斜しており、負極を底壁１４側にして収納凹所１５内にボタン形電池５０を挿入すると、接点ばね１７の当接片１７ｂがボタン形電池５０の負極と弾接して、接点ばね１７がボタン形電池５０の負極に電気的に接続されると共に、接点ばね１７のばね付勢力によってボタン形電池５０が係止片１６ａ〜１６ｃ側に付勢され、保持されるのである。
【００２０】
また、円弧壁１３の左右両端面には、ボタン形電池５０の周面（正極）と当接する第１の接点ばね（以下、接点ばねと略す）１９，１９が取り付けられている。各接点ばね１９は弾性を有する短冊状の導電板を折曲して形成されており、円弧壁１３の左右両側に固定される固定片１９ａと、固定片１９ａにおける電池挿入口８側の端縁から連続一体に形成され、電池挿入口８側に突出する当接片１９ｂとで構成される。そして、当接片１９ｂは、固定片１９ａとの連結部位から電池挿入口８側に近付くにつれて側壁１２ａ又は１２ｂに近付く向きに傾斜しているので、収納凹所１５内にボタン形電池５０を挿入すると、各接点ばね１９の当接片１９ｂがボタン形電池５０の周面に弾接して、電気的に接続されると共に、接点ばね１９によってボタン形電池５０が電池挿入口８側（すなわちボタン形電池５０の取り出し方向）にばね付勢される。尚、各接点ばね１７，１９の固定片１７ａ，１９ａの先端は回路基板７に電気的に接続されている。
【００２１】
次にボタン形電池５０を電池収納部９内に取り付ける取付方法について説明する。先ずボタン形電池５０を、負極を底壁１４側に向けて電池挿入口８から電池収納部９内に挿入する。この時、ボタン形電池５０は接点ばね１９によって電池挿入口８側にばね付勢されており、電池挿入口８から外側へ僅かに突出した状態で電池収納部９内に収納される。この状態で蓋体１０の鍔部１０ｂをケース１の凹所２０内に挿入して、鍔部１０ｂと凹所２０とでガイドさせながら、蓋体１０を下方へスライドさせると、蓋体１０の主部１０ａ裏面に形成された傾斜面１０ｇとボタン形電池５０の周面とが当接する。そして、蓋体１０をさらに下方へスライドさせると、蓋体１０の傾斜面１０ｇがボタン形電池５０を押圧し、ボタン形電池５０が接点ばね１９のばね付勢力に抗して円弧壁１３側に移動し、弾性係止片１０ｃの先端に設けた係止爪１０ｄと係止孔１１とを係止させることによって、蓋体１０がケース１に固定され、ボタン形電池５０が電池収納部９内に保持される。
【００２２】
一方、電池収納部９内に保持されているボタン形電池５０を取り出す際には、係止孔１１内にマイナスドライバーなどの工具の先端を挿入して、係止爪１０ｄを背面側に押圧することにより、係止爪１０ｄと係止孔１１との係止状態を解除し、蓋体１０を上方へスライドさせると、接点ばね１９によってボタン形電池５０が電池挿入口８側にばね付勢され、電池挿入口９から外側にボタン形電池５０の一部が突出する。この状態で、電池挿入口８が下側になるようにケース１を傾斜させ、ケース１に適度の衝撃を与えると、ボタン形電池５０が電池挿入口８から外側に飛び出すので、ボタン形電池５０の取り外し作業を容易に行うことができ、別途の工具を用いることなく、ボタン形電池５０の交換作業を容易に行える。
【００２３】
尚、本実施形態のボタン形電池の保持構造では、ボタン形電池５０の厚み方向を挿入方向と略直交するようにして、ボタン形電池５０が電池挿入口８から電池収納部９内に挿入されるようにし、電池挿入口８と対向する電池収納部９の底部に接点ばね１９を配設すると共に、ボタン形電池５０の負極と対向する電池収納部９の部位に接点ばね１７を配設しているが、ボタン形電池５０の保持構造を上記の構造に限定する趣旨のものではなく、接点ばね１７又は１９の弾性力による付勢方向がボタン形電池５０の取り外し方向と同じ方向になるように、接点ばね１７又は１９を電池収納部９内に配置していれば、どのような構造でも良い。例えばボタン形電池５０の厚み方向を挿入方向と略平行になるようにして、ボタン形電池５０が電池挿入口から電池収納部内に挿入されるようにし、ボタン形電池５０の周面と対向する電池収納部９の部位に接点ばね１９を配設すると共に、電池挿入口８と対向する電池収納部９の底部に接点ばね１７を配設し、接点ばね１７のばね付勢力によってボタン形電池５０を取り外し方向にばね付勢するようにしても良く、上述と同様の効果が得られる。
【００２４】
【発明の効果】
上述のように、請求項１の発明は、電気機器のケースに設けられたボタン形電池挿入用の電池挿入口から、ケース内部に設けられた電池収納部にボタン形電池を挿入し、電池挿入口を蓋体によって閉塞することによりボタン形電池を保持するボタン形電池の保持装置において、弾性を有する導電材料からそれぞれ形成され、電池収納部に挿入されるボタン形電池の正極及び負極とそれぞれ弾接する第１及び第２の接点ばねを電池収納部に設け、第１又は第２の接点ばねの内、何れか一方の接点ばねを、接点ばねの弾性力による付勢方向とボタン形電池の取り出し方向とが同じ方向になるように電池収納部に配設し、ボタン形電池を電池挿入口から電池収納部内に挿入して、蓋体で電池挿入口を閉塞し、何れか一方の接点ばねによって電池挿入口側にばね付勢された状態でボタン形電池を保持するとともに、前記蓋体は、ボタン形電池の挿入方向と略直交する方向においてスライド自在にケースに取り付けられており、蓋体における電池収納部側の面に、電池挿入口を閉塞する方向に行くにしたがって、電池収納部から遠ざかる向きに傾斜する傾斜面を設けたことを特徴とし、第１又は第２の接点ばねの弾性力による付勢方向とボタン形電池の取り出し方向とが同じ方向になっており、ボタン形電池は何れかの接点ばねによって電池挿入口側にばね付勢された状態で電池収納部内に保持されているので、蓋体を電池挿入口から取り外すと、ボタン形電池が接点ばねのばね付勢力によって電池挿入口側に押し出されるから、ボタン形電池を容易に取り外すことができ、ボタン形電池の交換作業を容易にしたボタン形電池の保持装置を実現できるという効果がある。そのうえ、電池挿入口を閉塞する方向に蓋体をスライドさせると、蓋体に設けた傾斜面とボタン形電池とが当接し、蓋体がスライドするにしたがってボタン形電池が傾斜面に沿って移動し、電池収納部内に押し込まれるから、ボタン形電池の取り付け作業をスムーズに行えるという効果がある。
【００２５】
請求項２の発明は、請求項１の発明において、ボタン形電池は厚み方向が挿入方向と略直交するようにして電池挿入口から電池収納部内に挿入され、電池収納口と対向する電池収納部の底部に第１の接点ばねを配設すると共に、ボタン形電池の負極と対向する電池収納部の部位に第２の接点ばねを配設し、ボタン形電池における負極の反対側の面と係止する係止片を電池収納部に設けたことを特徴とし、請求項１の発明と同様の効果を奏する。
【００２６】
請求項３の発明は、請求項１の発明において、ボタン形電池は厚み方向が挿入方向と略平行になるようにして電池挿入口から電池収納部内に挿入され、ボタン形電池の周面と対向する電池収納部の部位に第１の接点ばねを配設すると共に、電池収納口と対向する電池収納部の底部に第２の接点ばねを配設したことを特徴とし、請求項１の発明と同様の効果を奏する。
【図面の簡単な説明】
【図１】本実施形態のボタン形電池の保持装置を示し、ボタン形電池を内部に収納する電気機器の一部破断せる上面図である。
【図２】同上の電気機器の電池蓋を外した状態を側方から見た図である。
【図３】同上の電気機器のボタン形電池を収納した状態を前方から見た断面図である。
【図４】同上の電気機器の電池蓋を外した状態を前方から見た断面図である。
【図５】同上の電気機器の外観斜視図である。
【符号の説明】
１  ケース
３  内蔵ブロック
８  電池挿入口
９  電池収納部
１４  底壁
１７，１９  接点ばね
５０  ボタン形電池
【図１】
0004029547.tif 000002
【図２】
0004029547.tif 000003
【図３】
0004029547.tif 000004
【図４】
0004029547.tif 000005
【図５】
0004029547.tif 000006